(57)【要約】【課題】撮像装置の所有者が見せても良いと考えている画像のみ外部の表示機器で表示可能とする撮像装置を提供すること。【解決手段】デジタルカメラ１００の動作モードが画像再生モードのときにデジタルカメラ１００とテレビ２００とが通信ケーブル３００を介して通信可能に接続され、テレビ２００からデジタルカメラ１００に外部信号が入力された場合に、デジタルカメラ１００の記録部１０５に記録されている画像の中で、画像の送信を許可する旨を示す送信許可情報が付与された画像のみが通信インタフェース部１０７を介してデジタルカメラ１００からテレビ２００に送信される。【選択図】図１
2011035780.tif 000002
【特許請求の範囲】
【請求項１】
画像を取得する撮像部と、
上記撮像部によって取得された画像を記録する記録部と、
上記記録部に記録された画像を当該撮像装置の外部の表示機器に送信する画像送信部と、
上記画像送信部による上記表示機器への画像の送信が可能となったときに、上記記録部に記録された画像の中で送信が許可された画像のみを上記画像送信部によって上記表示機器に送信するように制御する制御部と、
を具備することを特徴とする撮像装置。
【請求項２】
上記記録部に記録された画像を表示する表示部をさらに具備し、
上記制御部は、当該撮像装置の動作モードが上記記録部に記録された画像を上記表示部に表示させるための画像再生モードの時で且つ上記画像送信部による上記表示機器への画像の送信が可能となった場合に、上記記録部に記録された画像の中で送信が許可された画像のみを、上記画像送信部によって上記表示機器に送信するように制御することを特徴とする請求項１に記載の撮像装置。
【請求項３】
上記記録部に記録された画像を表示する表示部をさらに具備し、
上記制御部は、当該撮像装置の動作モードが上記記録部に記録された画像を上記表示部に表示させるための画像再生モードの時で且つ上記画像送信部による上記表示機器への画像の送信が可能となった場合に、上記記録部に記録された画像の中で上記表示部に表示中の画像を、上記送信が許可された画像として、上記画像送信部によって上記表示機器に送信するように制御することを特徴とする請求項１に記載の撮像装置。
【請求項４】
上記制御部は、当該撮像装置の動作モードが上記記録部に記録された画像を上記表示部に表示させるための画像再生モードの時で且つ上記画像送信部による上記表示機器への画像の送信が可能となった場合に、上記撮像部を動作させて得られた画像を上記画像送信部により上記表示機器に送信するように制御するとともに、上記表示機器からの外部信号の受信に応じて、上記記録部に記録された画像の中で送信が許可された画像のみを上記画像送信部によって上記表示機器に送信するように制御することを特徴とする請求項２又は３に記載の撮像装置。
【請求項５】
上記制御部は、上記撮像部を動作させて得られた画像を上記画像送信部により上記表示機器に送信する際に、上記撮像部を動作させて得られた画像を加工してから上記画像送信部により上記表示機器に送信することを特徴とする請求項４に記載の撮像装置。
【請求項６】
上記制御部は、上記表示機器の画面大きさが所定値以下の場合に、上記記録部に記録された画像の中で送信が許可された画像のみを上記画像送信部によって上記表示機器に送信するように制御すること特徴とする請求項１に記載の撮像装置。
【請求項７】
当該撮像装置の振動を検知する振動検知部をさらに具備し、
上記制御部は、上記振動検知部により当該撮像装置の振動が検知されていない場合に、上記記録部に記録された画像の中で送信が許可された画像のみを上記画像送信部によって上記表示機器に送信するように制御すること特徴とする請求項１に記載の撮像装置。
【発明の詳細な説明】
【技術分野】
【０００１】
本発明は、外部の表示機器を用いて画像を再生する機能を有する撮像装置に関する。
【背景技術】
【０００２】
近年のデジタルカメラ等の撮像装置においては、撮影により得られた画像をテレビジョン受像機（以下、テレビと略記する）等の大画面の表示部を有する表示機器に転送可能な機種が増えてきている。撮影により得られた画像をテレビに転送可能とすることにより、撮像装置における撮影により得られた画像を大画面で且つ大勢で鑑賞することが可能である。
【０００３】
画像をテレビに表示させて鑑賞する際の利便性を考慮すると、テレビ画面上に表示された画像に対する各種の操作はリモートコントローラ（以下、リモコンと略記する）によって行えるようにすることが望ましい。このような撮像装置によって転送された画像をテレビに表示されている際の操作をリモコンで行えるようにした技術として、例えば特許文献１の技術が提案されている。この特許文献１においては、テレビとデジタルカメラとがケーブル接続された際に、テレビを操作するためのリモコンとしてデジタルカメラを利用できるようにしている。
【先行技術文献】
【特許文献】
【０００４】
【特許文献１】特開２００７−３２４９７５号公報
【発明の概要】
【発明が解決しようとする課題】
【０００５】
特許文献１等の技術により、撮像装置において撮影された画像をテレビに表示させる際の利便性が向上する。ここで、撮影画像をテレビに表示させる場合、撮像装置に記録されている撮影画像の中には、その撮像装置の所有者が他者に見せたくない画像もあると考えられる。このような画像をリモコンで簡単に見られるようにしてしまうのは余り好ましいこととは言えない。
【０００６】
本発明は、上記の事情に鑑みてなされたもので、撮像装置の所有者が見せても良いと考えている画像のみ外部の表示機器で表示可能とする撮像装置を提供することを目的とする。
【課題を解決するための手段】
【０００７】
上記の目的を達成するために、本発明の第１の態様の撮影装置は、画像を取得する撮像部と、上記撮像部によって取得された画像を記録する記録部と、上記記録部に記録された画像を当該撮像装置の外部の表示機器に送信する画像送信部と、上記画像送信部による上記表示機器への画像の送信が可能となったときに、上記記録部に記録された画像の中で送信が許可された画像のみを上記画像送信部によって上記表示機器に送信するように制御する制御部とを具備することを特徴とする。
【発明の効果】
【０００８】
本発明によれば、撮像装置の所有者が見せても良いと考えている画像のみ外部の表示機器で表示可能とする撮像装置を提供することができる。
【図面の簡単な説明】
【０００９】
【図１】本発明の一実施形態に係る撮像装置の一例としてのデジタルカメラを有する画像再生システムの構成を示す図である。
【図２】画像再生システムの使用時の様子を示す第１の図である。
【図３】画像再生システムの使用時の様子を示す第２の図である。
【図４】デジタルカメラ側のメインの動作を示すフローチャートの第１図である。
【図５】デジタルカメラの再生モード時における表示部の表示例を示す図である。
【図６】デジタルカメラ側のメインの動作を示すフローチャートの第２図である。
【図７】顔画像の合成の例について示す図である。
【図８】デジタルカメラ側のメインの動作を示すフローチャートの第３図である。
【図９】リモコン操作表示画像の例について示す図である。
【図１０】外部再生終了処理について示すフローチャートである。
【図１１】確認画面の表示例について示す図である。
【図１２】テレビ側のメインの動作を示すフローチャートである。
【図１３】本発明の一実施形態に係る変形例について示すフローチャートの第１図である。
【図１４】撮影画像の表示例を示す図である。
【図１５】本発明の一実施形態に係る変形例について示すフローチャートの第２図である。
【発明を実施するための形態】
【００１０】
以下、図面を参照して本発明の実施形態を説明する。  
図１は、本発明の一実施形態に係る撮像装置の一例としてのデジタルカメラを有する画像再生システムの構成を示す図である。図１に示すように、本画像再生システムは、デジタルカメラ１００と、テレビジョン受像機２００と、が通信ケーブル３００を介して通信自在に接続されて構成されている。
【００１１】
本実施形態に係るデジタルカメラ１００は、撮像部１０１と、顔検出部１０２と、表示部１０３と、集音部１０４と、記録部１０５と、時計部１０６と、制御部１０７と、操作部１０８と、通信インタフェース部１０９と、振動検知部１１０とを有している。なお、本実施形態におけるデジタルカメラ１００は動作モードとして、画像撮影をするための画像撮影モードと、画像の再生をするための画像再生モードと、テレビ２００とデータ通信を行うための通信モードを少なくとも有している。
【００１２】
撮像部１０１は、図示しない被写体の像を集光するためのレンズや、レンズによって集光された被写体の像を電気信号に変換する撮像素子等を有している。この撮像部１０１は、被写体に対して撮像を実行して被写体の静止画像を取得する。また、撮像部１０１による撮像を連続的に実行することで動画像も取得可能である。なお、以下の説明においては、静止画像と動画像とを特に区別せずに単に画像と称する。
【００１３】
顔検出部１０２は、撮像部１０１による撮像によって得られる画像中の被写体の顔を検出する。顔検出部１０２によって検出された顔の情報は、例えば、撮像部１０１を構成するレンズのフォーカスを顔位置に合わせるような制御や、画像中の顔の露出を適正にする制御に用いることができる。なお、顔検出部１０２における顔検出は、例えば、画像中の顔の特徴量（目や鼻の形状や位置関係等）を検出することによって行う。また、本実施形態における顔検出部１０２は顔の表情（特に笑顔）も検出可能になされている。
【００１４】
表示部１０３は、撮像部１０１で取得された画像を表示する。この表示部１０３は、例えばデジタルカメラ１００の背面に配された液晶ディスプレイである。この表示部１０３には、タッチパネル１０３１が設けられている。タッチパネル１０３１は表示部１０３へのユーザの指等の接触を検出する。ユーザの指等が表示部１０３の画面に接触すると、タッチパネル１０３１は接触位置を示す信号を制御部１０７に出力する。
【００１５】
集音部１０４は、画像撮影時におけるデジタルカメラ１００の周囲の音声を取得し、取得した音声信号を電気信号に変換する。
【００１６】
記録部１０５は、撮像部１０１で取得された画像が記録される。この記録部１０５は、例えば、デジタルカメラ１００に対して着脱自在になされた半導体メモリカードである。時計部１０６は、撮像部１０１において画像撮影がなされた日時を計時する。この時計部１０６で計時された撮影日時は撮像部１０１で取得された画像に関連付けられて記録部１０５に記録される。
【００１７】
制御部１０７は、撮像部１０１の撮像動作の制御、表示部１０３の表示動作の制御、集音部１０４の動作制御等を含む、デジタルカメラ１００内部の各ブロックの制御を行う。この他、制御部１０７は、撮像部１０１で得られた画像に対する画像処理、集音部１０４で得られた音声に対する音声処理等の各種データ処理も行う。ここで、本実施形態における制御部１０７は、合成部としての機能も有している。即ち、制御部１０７は記録部１０５に記録された画像に、この画像を鑑賞しているユーザの画像を合成するとともに、ユーザの音声を記録部１０５に記録された画像に関連付ける処理も行う。さらに、制御部１０７はトリミング部としての機能も有しており、撮像部１０１で得られた画像における顔部の画像（顔画像）をトリミングして抽出することも行う。
【００１８】
操作部１０８は、ユーザがデジタルカメラ１００の各種の操作を行うための操作部である。操作部１０８の操作を識別して制御部１０７は、操作部１０８の操作に対応する処理を実行する。なお、操作部１０８としては、例えばデジタルカメラ１００の動作モードを設定するための操作部、デジタルカメラ１００による撮影の実行・終了を指示するための操作部、各種の選択動作を行うための操作部等が含まれる。
【００１９】
画像送信部としての機能を有する通信インタフェース部１０９は、デジタルカメラ１００がテレビジョン受像機（以下、テレビと略記する）２００との間でデータ通信を行うためのインタフェースである。本実施形態では、通信インタフェース部１０９としてＨＤＭＩ（High Definition Multimedia Interface）（登録商標）を用いる。しかしながら、通信インタフェース部１０９は、画像の転送に適したインタフェースであれば特に限定されるものではない。また、図１では有線インタフェースを示しているが、赤外線通信や電波通信等に対応した無線インタフェースを用いるようにしても良い。
【００２０】
振動検知部１１０は、例えば角速度センサから構成され、デジタルカメラ１００の振動に応じた信号を制御部１０７に出力する。
【００２１】
本実施形態の表示機器の一例としてのテレビ２００は、放送受信部２０１と、表示部２０２と、ネットワーク通信部２０３と、情報重畳部２０４と、制御部２０５と、リモコン信号受信部２０６と、通信インタフェース部２０７とを有している。
【００２２】
放送受信部２０１は、図示しないテレビ局等からテレビジョン放送を受信するためのアンテナ等を含む。表示部２０２は、放送受信部２０１を介して受信されたテレビジョン放送に基づく画像を表示する。また、本実施形態における表示部２０２は、デジタルカメラ１００からデジタルデータとして転送されてくる画像を表示可能にもなされている。
【００２３】
ネットワーク通信部２０３は、テレビ２００が図示しないサーバ等とインターネットを介して通信するためのインタフェースである。情報重畳部２０４は、ネットワーク通信部２０３を介して図示しないサーバ等から得られる各種データを表示部２０２に表示される画像に重畳させる。
【００２４】
制御部２０５は、表示部２０２の表示動作の制御や情報重畳部２０４の動作制御等を含む、テレビ２００内部の各ブロックの制御を行う。リモコン信号受信部２０６は、テレビ２００のリモートコントローラ（リモコン）４００からのリモコン信号を受信する。リモコン信号受信部２０６で受信されたリモコン信号を識別して制御部２０５は、リモコン４００の操作に対応した処理を実行する。
【００２５】
通信インタフェース部２０７は、テレビ２００がデジタルカメラ１００との間でデータ通信を行うためのインタフェースである。この通信インタフェース部２０７も例えばＨＤＭＩである。
【００２６】
図２、図３は、本実施形態に係る画像再生システムの使用時の様子を示す図である。図２に示すように、デジタルカメラ１００は通信ケーブル３００を介してテレビ２００に接続されている。このような状態において、ユーザ５００はテレビ２００の表示部２０２に表示された画像２０２ａを見ることができる。また、ユーザ５００がリモコン４００を操作することで、テレビ２００を遠隔操作することが可能である。
【００２７】
ここで、図２に示すように、デジタルカメラ１００から通信ケーブル３００を介して転送される画像２０２ａの再生中にデジタルカメラ１００の撮像部１０１によってユーザ５００の顔の画像を取得し、ユーザ５００の顔の画像２０２ｂをデジタルカメラ１００から転送される画像に合成してテレビ２００の表示部２０２に表示可能である。このような表示を行うことにより、例えば図２のようにして２人のユーザ５００が画像２０２ａを鑑賞している際にお互いの反応を表示部２０２上で確認でき、これによって画像２０２ａの鑑賞の場を盛り上げることが可能である。このように、実際には再生される画像が前もって編集されていなくても、その画像に単にその画像を見るだけでない楽しみが付与されることとなる。このように、本実施形態においては、テレビ２００の表示部２０２上にあたかも編集された画像を見るのと同様の効果を持った画像が表示されることとなる。
【００２８】
このような画像再生システムにおいて、デジタルカメラ１００に記録されている画像が不用意にテレビ２００の表示部２０２に表示されてしまう場合が考えられる。一般に、デジタルカメラ１００の表示部１０３に表示される画像はデジタルカメラ１００のごく近くにいる限られた人しか見ることができないような大きさである。これに対し、テレビ２００の表示部２０２の画面は大きく、このような大画面の表示部２０２に画像を表示させてしまうと、意図していない人にまで画像が見られてしまう可能性が高くなる。本実施形態では、テレビ２００に送信する画像を選択するための画面を、図３に示すようにしてデジタルカメラ１００の表示部１０３に表示させ、この画面内で選択された画像のみがテレビ２００の表示部２０２に表示されるようにする。また、デジタルカメラ１００における画像の選択がなされるまでは、仮に、ユーザ５００ｂがリモコン４００を操作しても、デジタルカメラ１００から画像が転送されないようにする。
【００２９】
このような処理を行うことにより、デジタルカメラ１００を所有しているユーザ５００ａが表示部１０３の画面を見せなければ、ユーザ５００ｂはデジタルカメラ１００にどのような画像が記録されているかを知ることはできず、ユーザ５００ａのプライバシーが保護される。
【００３０】
以下、図２、図３で示したような画像再生システムの動作の詳細について説明する。  
まず、デジタルカメラ１００側の動作について説明する。図４において、デジタルカメラ１００の制御部１０７は、まず、デジタルカメラ１００の動作モードが画像撮影モードであるか否かを判定する（ステップＳ１０１）。ステップＳ１０１の判定において、デジタルカメラ１００の動作モードが画像撮影モードである場合に、制御部１０７は撮像部１０１を連続動作させて画像の取り込みを行い（ステップＳ１０２）、撮像部１０１の連続動作によって得られるスルー画像をリアルタイムで表示部１０３に表示させるスルー画表示を行う（ステップＳ１０３）。このスルー画表示により、ユーザは撮影開始のタイミングや構図等を決定することが可能である。表示部１０３への画像の表示後、制御部１０７は、ユーザによる操作部１０８の操作によって画像の撮影開始の指示がなされたか否かを判定する（ステップＳ１０４）。ステップＳ１０４の判定において、画像の撮影開始の指示がなされていない場合に、制御部１０７はステップＳ１０１の動作モードの判定を再び行う。また、ステップＳ１０４の判定において、画像の撮影開始の指示がなされた場合に、制御部１０７は、撮像部１０１を介して得られる画像と集音部１０４を介して得られる音声との記録部１０５への記録を開始させる（ステップＳ１０５）。ここで、撮像部１０１を介した画像の記録と集音部１０４を介した音声の記録とは互いに同期されるように同時に行われるものとする。
【００３１】
画像の撮影開始後、制御部１０７は、ユーザによる操作部１０８の操作によって画像の撮影終了の指示がなされたか否かを判定する（ステップＳ１０６）。ステップＳ１０６の判定において、画像の撮影終了の指示がなされていない場合には、処理がステップＳ１０５に戻り、制御部１０７は画像の記録を継続する。また、ステップＳ１０６の判定において、画像の撮影終了の指示がなされた場合に、制御部１０７は画像の記録を終了する。この際、制御部１０７は、記録部１０５に記録された画像に時計部１０６で記録された撮影日時を関連付けて記録する。画像の記録終了後、制御部１０７はステップＳ１０１以後の処理を行う。
【００３２】
図４のステップＳ１０５、Ｓ１０６の動作は動画撮影時の動作である。静止画撮影時の動作については図示を省略しているが、静止画撮影時の場合には、ステップＳ１０５、Ｓ１０６の処理を、撮像部１０１を１回（若しくは複数回）だけ動作させこれにより得られる１枚若しくは複数枚の静止画像を記録部１０５に記録する処理に置き換えれば良い。
【００３３】
また、ステップＳ１０１の判定において、デジタルカメラ１００の動作モードが画像撮影モードでない場合に、制御部１０７は、デジタルカメラ１００の動作モードが画像再生モードであるか否かを判定する（ステップＳ１０７）。ステップＳ１０７の判定において、デジタルカメラ１００の動作モードが画像再生モードである場合に、制御部１０７は、記録部１０５に記録されている画像（動画像の場合には音声も関連付けられている）を示すサムネイル画像を図５（ａ）に示すようにして表示部１０３に表示させる（ステップＳ１０８）。なお、動画像の場合においてサムネイル画像として表示させる画像は各画像の代表画像とする。この代表画像は、例えば最初のフレームの画像や、インデックスが付されたフレームの画像である。なお、図５（ａ）のサムネイル画像の代わりに、図５（ｅ）に示すような、撮影時刻や撮影画像の記録時間（動画像の場合）に従った図表を表示させるようにしても良い。この場合、ユーザが所定の時間帯表示にタッチすると、その時間帯の部分１０３１ａが枠表示されて画像の選択が行われる。図５（ｅ）の表示は、記録部１０５に記録されている画像の内容が直接的には分からないので、プライバシーの保護の観点からは図５（ａ）の例よりも好ましいと考えられる。
【００３４】
サムネイル画像の表示後、制御部１０７は、ユーザの操作部１０８の操作又はタッチパネル１０３１の操作によって画像の選択がなされたか否かを判定する（ステップＳ１０９）。
【００３５】
ステップＳ１０９の判定において、画像の選択がなされていない場合に、制御部１０７は、サムネイル画像の表示を継続する。また、ステップＳ１０９の判定において、画像の選択がなされた場合に、制御部１０７は、図５（ｂ）に示すような、画像の再生先を選択させる画面を表示部１０３に表示させる。図５（ｂ）の例では、「１．再生」が画像の再生先がデジタルカメラ１００の表示部１０３であることを示しており、「２．ＴＶ」が画像の再生先がテレビ２００の表示部２０２であることを示している。図５（ｂ）の画面の表示後、制御部は、ユーザの操作部１０８の操作によって選択された画像の外部送信を許可するか否かを判定する（ステップＳ１１０）。外部送信を許可するかの判定は、例えばユーザの操作部１０８の操作によって「２．ＴＶ」が選択されたかを判定することにより行う。ステップＳ１１０の判定において、選択された画像の外部送信を許可する場合に、制御部１０７は選択された画像に外部送信が許可された旨を示す情報である送信許可情報を付与する（ステップＳ１１１）。一方、ステップＳ１１０の判定において、選択された画像の外部送信を許可しない場合に、制御部１０７はステップＳ１１１の処理をスキップする。
【００３６】
ステップＳ１１０又はＳ１１１の後、制御部１０７は、ユーザの操作部１０８又はタッチパネル１０３１の操作によって、「１．再生」が指示されたか否かを判定する（ステップＳ１１２）。ステップＳ１１２の判定において、「１．再生」が指示された場合に、制御部１０７は、現在、ユーザによって選択されている画像を記録部１０５から読み出し読み出した画像を、図５（ｃ）に示すようにして、表示部１０３に再生する（ステップＳ１１３）。この際、図５（ｃ）に示すように画像が再生中であることを示すメッセージを表示させるようにしても良い。
【００３７】
画像の再生開始後、制御部１０７は、ユーザの操作部１０８の操作によって表示部１０３に再生する画像の切り替えがなされたか否かを判定する（ステップＳ１１４）。ステップＳ１１４の判定において、画像の切り替えがなされた場合に、制御部１０７は、画像の再生を終了した後、再生する画像の切り替えを行う（ステップＳ１１５）。この切り替えは、例えば、操作部１０８が操作される毎に再生中の画像に対して撮影日時が古い（または、新しい）画像に切り替えることで行う。画像の切り替え後、制御部１０７は切り替えによって選択された画像に対してステップＳ１０９以後の処理を行う。
【００３８】
また、ステップＳ１１４の判定において、画像の切り替えがなされていない場合に、制御部１０７は、ユーザの操作部１０８の操作によって画像再生モードの終了が指示されたか否かを判定する（ステップＳ１１６）。ステップＳ１１６の判定において、画像再生モードの終了が指示されていない場合に、制御部１０７はステップＳ１０９以後の処理を行う。一方、ステップＳ１１６の判定において、画像再生モードの終了が指示された場合に、制御部１０７はステップＳ１０１以後の処理を行う。
【００３９】
また、ステップＳ１０７の判定において、デジタルカメラ１００の動作モードが画像再生モードでない場合に、制御部１０７は、図６に示すフローチャートの処理を実行する。この図６の処理は通信モードに対応した処理である。詳細は後述するが、通信モードにおいては、テレビ２００の表示部２０２に画像が再生される。そして、デジタルカメラ１００は、ユーザによるリモコン４００の操作に応じてテレビ２００から入力される外部信号に従って動作する。
【００４０】
通信モード中において、制御部１０７は、通信インタフェース部１０９を介してテレビ２００からの外部信号が受信されたか否かを判定することにより、デジタルカメラ１００がテレビ２００に接続されたか否かを判定する（ステップＳ２０１）。ステップＳ２０１の判定において、テレビ２００からの外部信号が受信されていない場合には、処理が図４のステップＳ１０１に戻る。また、ステップＳ２０１の判定において、テレビ２００からの外部信号が受信された場合に、制御部１０７は、図５（ａ）に示すサムネイル表示をテレビ２００の表示部２０２において行わせるべく、図５（ａ）に示すサムネイル画像をテレビ２００に送信する（ステップＳ２０２）。勿論、図５（ｅ）に示す図表をテレビ２００に送信するようにしても良い。
【００４１】
ステップＳ２０２の後、制御部１０７は、受信された外部信号の識別を行う（ステップＳ２０３）。そして、制御部１０７は、外部信号が顔画像の合成命令を示す信号であるか否かを判定する（ステップＳ２０４）。ステップＳ２０４の判定において、外部信号が顔画像の合成命令を示す信号でない場合に、制御部１０７は、現在、撮像部１０１が動作中であれば、撮像部１０１の動作を停止させる（ステップＳ２０５）。詳細は後述するが、通信モード中においては、撮像部１０１は顔画像の合成命令を示す信号が入力されている間に動作するものである。撮像部１０１の動作を停止させた後、制御部１０７は、外部信号が画像の選択命令を示す信号であるか否かを判定する（ステップＳ２０６）。ステップＳ２０６の判定において、外部信号が画像の選択命令を示す信号である場合に、制御部１０７は、次に送信すべき画像をテレビ２００に送信する（ステップＳ２０７）。ここで、本実施形態において図５（ａ）に示すサムネイル画像表示と図５（ｅ）に示す図表表示の切り替えを行えるようにしても良い。この場合には、リモコン４００の操作に従って選択命令がなされ、この選択命令に従ってサムネイル画像又は図表画像の何れかが指示される。
【００４２】
一方、ステップＳ２０６の判定において、外部信号が画像の選択命令を示す信号でない場合に、制御部１０７は、例えば所定時間の経過後に外部再生終了処理を行う（ステップＳ２０８）。この外部再生終了処理については後述する。ステップＳ２０７又はステップＳ２０８における処理の終了後、制御部１０７は図４のステップＳ１０１以後の処理を行う。
【００４３】
また、ステップＳ２０４の判定において、外部信号が合成命令を示す信号である場合に、制御部１０７は、画像の再生を一時停止した後、撮像部１０１を起動してユーザの画像を取得する（ステップＳ２０９）。そして、制御部１０７は、撮像部１０１を介して得られるユーザの画像における顔部を顔検出部１０２によって検出し、検出した顔画像をトリミングしてテレビ２００の表示部２０２に再生中の画像の枠外に合成して表示できるようにし、例えば記録部１０５に後から、必要に応じて、ユーザの顔画像と現在再生中の画像とを合成して保存できるように、顔画像を仮記録させる（ステップＳ２１０）。このように、顔画像のみをトリミングすることにより、記録部１０５の記録容量を節約することが可能である。また、合成する範囲を狭い範囲に限定することで、余計な背景等までもが写ることがなく、ユーザの表情を見易くすることができる。この時、集音部１０４を起動させ、音声を同時に取り込んで、必要に応じて声の変化がモニタできるようにして、後述のように、音声の変化で顔を、再生中の画像内に合成するタイミングを決めるようにしてもよい。もちろん、顔画像、音声の、どちらか一方を指定できるようにしてもよい。
【００４４】
顔画像の再生画面外（または、再生中の画像の周辺部）への合成表示処理と仮記録後、制御部１０７は、位置変更処理を行う（ステップＳ２１１）。位置変更処理は、図７（ａ）や図７（ｂ）に示すようにして、テレビ２００の表示部２０２に再生表示されている画像２０２ａの所定位置にユーザの顔画像２０２ｂを合成したり、合成されている顔画像２０２ｂの位置を変更したりするための合成位置を決定するための処理である。この位置の変更は、ユーザのリモコン４００の操作に従って入力される外部信号に従って行われる。また、顔検出の結果等を利用しても良い。
【００４５】
位置変更処理の後、制御部１０７は、画像が選択されたか、即ち外部信号として画像の選択命令を示す信号が入力されたか否かを判定する（ステップＳ２１２）。ステップＳ２１２の判定において、外部信号として画像の選択命令を示す信号が入力されていない場合に、制御部１０７は、ステップＳ２０８の外部再生終了処理を行う。一方、ステップＳ２１２の判定において、外部信号として画像の選択命令を示す信号が入力された場合に、制御部１０７は、選択された画像中における位置変更処理において決定された位置に顔画像２０２ｂを合成した後、この合成画像をテレビ２００に送信する（ステップＳ２１３）。
【００４６】
このように、本実施形態においては、通信モード中においては、テレビ２００にサムネイル画像を送信するようにしてテレビ２００の画面上でも画像の選択を行えるようにしている。
【００４７】
ここで、再び図４の説明に戻る。図４のステップＳ１１０の判定において、「１．再生」が指示されていない場合に図８以後の処理を行う。図８において、制御部１０７は、通信インタフェース部１０９を介してテレビ２００からの外部信号が受信されたか否かを判定することにより、デジタルカメラ１００がテレビ２００に接続されたか否かを判定する（ステップＳ３０１）。ステップＳ３０１の判定において、テレビ２００からの外部信号が受信されていない場合には、処理が図４のステップＳ１０１に戻る。また、ステップＳ３０１の判定において、テレビ２００からの外部信号が受信された場合に、制御部１０７は、記録部１０５に記録されている画像の中で送信許可情報を付与されている画像を、通信インタフェース部１０９を介してテレビ２００に送信する（ステップＳ３０２）。このように、デジタルカメラ１００が画像再生モードのときにテレビ２００と通信可能となった場合には、テレビ２００に送信する画像をユーザによって選択された画像のみとしている。これにより、デジタルカメラ１００の所有者であるユーザが見せたい画像のみをテレビ２００の表示部２０２に表示させることが可能である。
【００４８】
画像の送信後、制御部１０７は、通信インタフェース部１０９を介してテレビ２００に、リモコン操作表示画像を送信する（ステップＳ３０３）。リモコン操作表示画像とは、図９（ａ）や図９（ｂ）に示すような、デジタルカメラ１００からの画像をテレビ２００の表示部２０２に表示させている際の、リモコン４００の操作を案内するための表示画像２０２ｃである。このようなリモコン操作表示画像２０２ｃを見ることにより、ユーザはリモコン４００のどのボタンを操作すればどのような操作を行うことができるかを理解し易い。
【００４９】
ここで、図９（ａ）に示すリモコン操作表示画像２０２ｃは、代表画像の送信後にテレビ２００の表示部２０２に表示される画像である。図９（ａ）に示すリモコン操作表示画像２０２ｃがなされている際にリモコン４００の再生ボタンが押された場合には、テレビ２００からデジタルカメラ１００に対して再生命令を示す信号が入力される。この場合、デジタルカメラ１００の制御部１０７は、選択された画像をテレビ２００で再生すべく、選択画像の送信を行う。一方、リモコン４００の撮像ボタンが押された場合には、テレビ２００からデジタルカメラ１００に対して合成命令を示す信号が入力される。また、図９（ｂ）に示すリモコン操作表示画像２０２ｃは、リモコン４００の撮像ボタンが押された後にテレビ２００の表示部２０２に表示される画像である。図９（ｂ）に示すリモコン操作表示画像２０２ｃがなされている際にリモコン４００の再生ボタンが押された場合には、テレビ２００からデジタルカメラ１００に対して再生命令を示す信号が入力される。一方、リモコン４００の位置変更ボタンが押された場合には、表示部２０２に表示されている顔画像２０２ｂの位置が変更されるとともに、テレビ２００からデジタルカメラ１００に対して顔画像２０２ｂの合成位置を変更する旨を示す信号が入力される。
【００５０】
リモコン操作表示画像２０２ｃの送信後、制御部１０７は、デジタルカメラ１００の表示部１０３の表示をオフする（ステップＳ３０４）。表示部１０３の表示をオフした後、制御部１０７は、図１のステップＳ１０１以後の処理を行う。即ち、通信モードにおいてはデジタルカメラ１００に記録されている画像がテレビ２００の表示部２０２に表示されるため、ユーザがデジタルカメラ１００の表示部１０３を見ることはないと考えられる。したがって、省エネルギー化を図るため、表示部１０３の表示をオフする。表示部１０３の表示をオフした後、制御部１０７は、デジタルカメラ１００の動作モードを通信モードに移行させる（ステップＳ３０５）。なお、表示部１０３の表示をオフさせずに図５（ｄ）で示すような通信モード中であることを示す表示を行うようにしても良い。
【００５１】
次に、外部再生終了処理について図１０、図１１を参照して説明する。図１０において、制御部１０７は、再生が終了した画像に顔画像が合成されていたか否かを判定する（ステップＳ４０１）。ステップＳ４０１の判定において、顔画像が合成されていた場合に、制御部１０７は、顔画像を合成した画像を記録部１０５に記録するか否かをユーザに確認するための画面を表示させるための画像をテレビ２００に送信する（ステップＳ４０２）。図１１はテレビ２００の表示部２０２に表示される確認画面の一例を示した図である。図１１の例では、再生が終了した画像の代表画像２０２ａを表示部２０２に表示させるとともに、この外部再生終了処理中におけるユーザのリモコン４００の操作を案内するためのリモコン操作表示画像２０２ｃを表示させる。
【００５２】
図１１に示すような確認画面を表示させるための画像の送信後、制御部１０７は、ユーザによるリモコン４００の操作により画像の保存が指示されたか否かを判定する（ステップＳ４０３）。ステップＳ４０３の判定において、保存が指示された場合には再生が終了した画像に、記録部１０５に記録しておいた顔画像を合成して記録部１０５に記録する（ステップＳ４０４）。顔画像を合成した画像を再記録することにより、例えば皆で画像を鑑賞したときの様子を他のメンバーも後から追体験することができる。例えば、運動会の様子等をデジタルカメラ１００によって撮影した場合に、この運動会の様子を記録した画像を、まず、親子で鑑賞し、そのときの画像を祖父母に送る等すれば、祖父母はあたかも親子の団欒に参加したかのような体験を味わうことができる。前述のように、再生中の画像内に顔画像の侵入の処理がない場合、顔画像が再生中の画像の画面外にあったり、図７（ａ）のように周辺部にある場合は、合成履歴はないとする。図７（ｂ）のような顔画像侵入シーンのみが合成履歴の対象となる。この場合、顔の大きさをリモコン４００で変更できるようにしてもよい。また、顔をそのまま表示すると、自分の顔が見られるのが嫌な人もいるので、アバター等の他の顔画像を代用して表示するようにしてもよい。
【００５３】
このように、本実施形態においては、顔画像の合成履歴が記録されていく形であるので、記録された顔画像を別の画像に置換えるのも簡単にできる。
【００５４】
ステップＳ４０１において顔画像が合成されていない場合、ステップＳ４０３において画像の保存が指示されていない場合、又はステップＳ４０４の後、制御部１０７は、ユーザによるリモコン４００の操作により通信モード時の画像の再生の終了が指示されたか否かを判定する（ステップＳ４０５）。ステップＳ４０５の判定において、通信モード時の画像の再生の終了が指示された場合に、制御部１０７は、デジタルカメラ１００の動作モードを再生モードに変更する（ステップＳ４０６）。その後、ステップＳ１０１以後の処理を行う。一方、ステップＳ４０５の判定において、通信モード時の画像の再生の終了が指示されていない場合に、制御部１０７は、ユーザによるリモコン４００の操作によりリプレイが指示されたか否かを判定する（ステップＳ４０７）。ステップＳ４０７の判定において、リプレイが指示されていない場合に、制御部１０７は、ステップＳ４０５以後の処理を行う。また、ステップＳ４０７の判定において、リプレイが指示された場合に、制御部１０７は、図６のステップＳ２０１以後の処理を実行する。
【００５５】
次に、テレビ２００側の動作について説明する。図１２において、テレビ２００の制御部２０５は、通信インタフェース部２０７を介してデジタルカメラ１００からの外部信号が受信されたか否かを判定することにより、テレビ２００がデジタルカメラ１００に接続されたか否かを判定する（ステップＳ５０１）。ステップＳ５０１の判定において、デジタルカメラ１００からの外部信号が受信された場合に、制御部２０５は、デジタルカメラ１００にテレビ２００の仕様を示す情報を送信する（ステップＳ５０２）。この操作の仕様は主にリモコン４００の仕様に関する情報を送信する。このリモコン４００の仕様に関する情報をデジタルカメラ１００に送信することにより、図９や図１１で示すようなリモコン操作の案内画面をデジタルカメラ１００において生成して表示することが可能となる。
【００５６】
テレビ２００の仕様を示す情報を送信した後、制御部２０５はデジタルカメラ１００からの画像を待つ待機状態となる。そして、デジタルカメラ１００の接続後にデジタルカメラ１００から画像が送信されてきた場合には、その画像を表示部２０２に表示させる（ステップＳ５０３）。次に、制御部２０５は、リモコン信号受信部２０６を介してリモコン４００の操作信号が受信されたか否かを判定する（ステップＳ５０４）。ステップＳ５０４の判定において、リモコン４００の操作信号が受信されていない場合に、制御部２０５はステップＳ５０１以後の処理を再び行う。
【００５７】
また、ステップＳ５０４の判定において、リモコン４００の操作信号が受信された場合に、制御部２０５は、その受信された操作信号をデジタルカメラ１００に送信するための変換処理を行う必要があるか否かを判定する（ステップＳ５０５）。例えば、リモコン４００の操作信号が上述した選択命令（画像の選択がなされた場合）、再生命令（再生ボタンが押された場合）、合成命令（撮像ボタンが押された場合）をデジタルカメラ１００に指示するための信号であった場合にはリモコン信号を、デジタルカメラ１００が識別可能な信号に変換する必要がある。ステップＳ５０５の判定はこの必要性を判定するためのものである。
【００５８】
ステップＳ５０５の判定において、変換が必要である場合に、制御部２０５は、リモコン信号をデジタルカメラ１００の仕様に応じた信号に変換した後、変換により得られた信号をデジタルカメラ１００の外部信号として、通信インタフェース部２０７を介して送信する（ステップＳ５０６）。一方、ステップＳ５０５の判定において、変換が必要でない、即ちリモコン４００の操作信号がテレビ２００自体を操作するための信号（例えば音量調節等）の場合に、制御部２０５はその操作信号の内容に応じた処理を行う（ステップＳ５０７）。
【００５９】
また、ステップＳ５０１の判定において、デジタルカメラ１００からの外部信号が受信されていない場合に、制御部２０５は、通常のテレビ動作を実行する（ステップＳ５０８）。例えば、制御部２０５は、放送受信部２０１を介して受信されたテレビジョン放送に基づく映像を表示部２０２に表示させる制御等を行う。
【００６０】
ステップＳ５０７又はステップＳ５０８の後、制御部２０５は、ユーザのリモコン４００の操作等によってテレビ２００の電源がオフされたか否かを判定する（ステップＳ５０９）。ステップＳ５０９の判定において、電源がオフされていない場合に、制御部２０５はステップＳ５０１以後の処理を再び行う。また、ステップＳ５０９の判定において、電源がオフされた場合に、制御部２０５は図１２の処理を終了させる。
【００６１】
以上説明したように、本実施形態によれば、デジタルカメラ１００が再生モードである状態から通信モードに移行する場合には、ユーザによって送信許可情報が付与された画像のみをテレビ２００に送信して表示可能としている。これにより、デジタルカメラ１００の所有者が見せたくない画像がテレビ２００の表示部２０２に大画面表示されるようなことがない。これに対し、デジタルカメラ１００が再生モードでない状態で通信モードに移行した場合にはサムネイル画像（又は図表画像）をテレビ２００に送信して表示可能としている。これにより、テレビ２００の表示部２０２上で画像の選択を行うことが可能である。このように、状況に応じて画像の送信の形態を変えることにより、プライバシーの保護と利便性の両方を考慮した画像の送信を行うことが可能である。
【００６２】
ここで、上述した実施形態では、デジタルカメラ１００が再生モードである状態から通信モードに移行する場合には、ユーザによって送信許可情報が付与された画像のみをテレビ２００に送信するようにしている。しかしながら、本実施形態において、デジタルカメラ１００が再生モードである状態から通信モードに移行する時点で表示部１０３に表示されている画像をテレビ２００に送信するようにしても良い。
【００６３】
以下、本実施形態の別の変形例について説明する。図１３は、図６に代わる通信モードへの移行処理を示した図である。
【００６４】
図１３において、制御部１０７は、通信インタフェース部１０９を介してテレビ２００からの外部信号が受信されたか否かを判定することにより、デジタルカメラ１００がテレビ２００に接続されたか否かを判定する（ステップＳ７０１）。ステップＳ７０１の判定において、テレビ２００からの外部信号が受信されていない場合には、処理が図４のステップＳ１０１に戻る。また、ステップＳ７０１の判定において、テレビ２００からの外部信号が受信された場合に、制御部１０７は、送信許可情報が付与された画像をテレビ２００に送信済みであるか否かを判定する（ステップＳ７０２）。ステップＳ７０２の判定において、送信許可情報が付与された画像をテレビ２００に送信済みである場合に、制御部は撮像部１０１及び表示部１０３の電源をオフさせる（ステップＳ７０３）。これは省エネルギー化のための処理である。
【００６５】
また、ステップ７０２の判定において、送信許可情報が付与された画像をテレビ２００に送信済みでない場合に、制御部１０７は、撮影画像を送信済みであるか否かを判定する（ステップＳ７０４）。この撮影画像は、ユーザが送信を許可する画像を選択する間にテレビ２００に表示させるための画像である。この撮影画像の詳細については後述する。
【００６６】
ステップＳ７０４の判定において、撮影画像を送信済みでない場合に、撮影画像の撮影を行うべく、制御部１０７は、撮像部１０１を起動させ、撮像部１０１を介して得られるスルー画像をテレビ２００に送信する（ステップＳ７０５）。これにより、テレビ２００の表示部２０２にはデジタルカメラ１００の撮像部１０１で得られるスルー画像が表示される。
【００６７】
テレビ２００にスルー画像を送信した後、制御部１０７は、ユーザによる操作部１０８の操作によって画像の撮影開始の指示がなされたか否かを判定する（ステップＳ７０６）。ステップＳ７０６の判定において、画像の撮影開始の指示がなされた場合に、制御部１０７は、撮像部１０１による静止画撮影を実行する（ステップＳ７０７）。そして、静止画撮影の実行後、制御部１０７は、撮影により得られた静止画像を撮影画像として記録部１０５に記憶させる（ステップＳ７０８）。その後、制御部１０７は、撮影画像をテレビ２００に送信する（ステップＳ７０９）。そして、制御部１０７は、撮像部１０１を起動させて得られるスルー画像を表示部１０３に表示させるスルー画表示を行う（ステップＳ７１０）。
【００６８】
ステップＳ７０９の処理により、図１４（ａ）に示すようにして、テレビ２００の表示部２０２に、デジタルカメラ１００で撮影された画像が表示されることになる。この撮影画像はユーザが自身で決定したタイミングで撮影される画像であり、ユーザが見せても良いと考えられる画像である。このような撮影画像が表示されている間に、ユーザがテレビ２００に送信しても良い画像を選択するようにすれば、他のユーザが退屈したりする可能性を低減させることが可能である。
【００６９】
また、ステップＳ７０４の判定において、撮影画像を送信済みである場合に、制御部１０７は、例えばユーザの操作がなされた場合等、必要に応じて撮影画像の加工を行う（ステップＳ７１１）。その後、制御部１０７は、撮影画像をテレビ２００に送信する（ステップＳ７１２）。このようにして撮影画像の加工を可能とすることにより、図１４（ａ）の撮影画像を加工して例えば図１４（ｂ）のような画像をテレビ２００の表示部２０２に表示させることが可能である。なお、図１４（ｂ）の撮影画像は図１４（ａ）の画像を立体的に組み合わせて得られる画像を所定の背景画像に合成して得られる画像である。この合成位置や加工画像の視点位置等を逐次変更するようにすれば、図１４（ｃ）のようにして撮影画像に動きを伴わせるようにすることも可能である。
【００７０】
ステップＳ７０３の後、又はステップＳ７０６の判定において撮影開始の指示がなされていない場合に、制御部１０７は、入力された外部信号の識別を行う（ステップＳ７１３）。そして、制御部１０７は、外部信号が画像要求を示す信号（例えば再生命令）であるか否かを判定する（ステップＳ７１４）。ステップＳ７１４の判定において、外部信号が画像要求を示す信号である場合に、制御部１０７は、記録部１０５に記録されている画像の中に、送信許可情報を付与された画像があるか否かを判定する（ステップＳ７１５）。ステップＳ７１５の判定において、送信許可情報を付与された画像がある場合に、制御部１０７はその送信許可情報を付与された画像をテレビ２００に送信する（ステップＳ７１６）。また、送信許可情報を付与された画像が複数ある場合には、送信許可情報が付与された画像からなるサムネイル画像をテレビ２００に送信する。このような処理を行うことにより、テレビ２００の表示部２０２に、デジタルカメラ１００のユーザが送信を許可した画像のみを表示させることができ、デジタルカメラ１００のプライバシーが保護される。
【００７１】
ステップＳ７１４の判定において識別信号が画像要求でない場合、又はステップＳ７１５の判定において送信許可情報を付与された画像がない場合に、制御部１０７は、識別信号が選択画像の再生制御に関する信号（画像再生、早送り、逆戻し等）であるか否かを判定する（ステップＳ７１７）。ステップＳ７１７の判定において、識別信号が選択画像の再生制御に関する信号でない場合に、制御部１０７は、ステップＳ７０１以後の処理を行う。一方、ステップＳ７１７の判定において、識別信号が選択画像の再生制御に関する信号である場合に、制御部１０７は、その指示の内容に対応した画像をテレビ２００に送信する（ステップＳ７１８）。例えば、画像再生が指示された場合に、制御部１０７は、リモコン４００によって選択された画像を送信する。また、早送りが指示された場合に、制御部１０７は、１回前に送信した画像よりも撮影日時が１つ後の画像を送信する。また、逆戻しが指示された場合に、制御部１０７は、１回前に送信した画像よりも撮影日時が１つ前の画像を送信する。
【００７２】
以上説明したような図１３の処理を行うことで、デジタルカメラ１００のユーザのプライバシーを保護することができるとともに、デジタルカメラ１００のユーザがデジタルカメラ１００を操作してテレビ２００に送信する画像を選択している際に、撮影画像を表示させることでテレビ２００を見ているユーザが退屈したりする可能性も低減させることが可能である。
【００７３】
次に、本実施形態の別の変形例について説明する。この変形例は、テレビ２００の画面サイズが小さい場合にはテレビ２００への画像の送信を行えるようにする例である。この変形例の処理を図１５のフローチャートに示す。図１５は、図４のステップＳ１１０の判定において、「１．再生」が指示されていない場合に行われる図８の処理に代わるものである。図１５において、制御部１０７は、通信インタフェース部１０９を介して、外部信号が受信されたか否かを判定する（ステップＳ８０１）。ステップＳ８０１の判定において、外部信号が受信されていない場合に、制御部１０７は、図４のステップＳ１０１以後の処理を行う。一方、ステップＳ８０１の判定において、外部信号が受信された場合に、制御部１０７は、テレビ２００から送信されてくるテレビ２００の仕様情報から、テレビ２００の表示部２０２の画面サイズが所定値（例えば２０型相当）以下か否かを判定する（ステップＳ８０２）。ステップＳ８０２の判定において、表示部２０２の画面サイズが所定値以下の場合に、制御部１０７は図８のステップＳ３０２以後と同様の処理を行う。即ち、テレビ２００に送信許可情報を付与された画像を送信してテレビ２００の表示部２０２に表示させる。その後、リモコン操作表示画像を送信する。リモコン操作表示画像の送信後、省エネルギー化のため、デジタルカメラ１００の表示部１０３の表示をオフし、デジタルカメラ１００の動作モードを通信モードに移行させる。
【００７４】
また、ステップＳ８０２の判定において、テレビ２００の表示部２０２の画面サイズが所定値を超えている場合に、制御部１０７は振動検知部１１０の出力から、デジタルカメラ１００に振動が発生していないか否かを判定する（ステップＳ８０３）。ステップＳ８０３の判定において、デジタルカメラ１００に振動が発生していない場合には、デジタルカメラ１００のユーザがデジタルカメラ１００を把持しておらず、デジタルカメラ１００を操作する意思がないと考える。この場合には、テレビ２００の表示部２０２にデジタルカメラ１００の記録部１０５に記録された画像を表示させる。このために、制御部１０７は図８のステップＳ３０２以後と同様の処理を行う。また、ステップＳ８０３の判定において、デジタルカメラ１００に振動が発生している場合には、ユーザがデジタルカメラ１００を把持しており、テレビ２００に送信する画像の選択を行う意思があると考える。したがって、この場合に、制御部１０７は、図１３のステップＳ７０１以後の処理を行う。
【００７５】
このような変形例においても、状況に応じて画像の送信の形態を変えることにより、プライバシーの保護と利便性の両方を考慮した画像の送信を行うことが可能である。
【００７６】
以上実施形態に基づいて本発明を説明したが、本発明は上述した実施形態に限定されるものではなく、本発明の要旨の範囲内で種々の変形や応用が可能なことは勿論である。
【００７７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００７８】
１００…デジタルカメラ、１０１…撮像部、１０２…顔検出部、１０３…表示部、１０４…集音部、１０５…記録部、１０６…時計部、１０７…制御部、１０８…操作部、１０９…通信インタフェース部、１１０…振動検知部、２００…テレビジョン受像機（テレビ）、２０１…放送受信部、２０２…表示部、２０３…ネットワーク通信部、２０４…情報重畳部、２０５…制御部、２０６…リモコン信号受信部、２０７…通信インタフェース部、３００…通信ケーブル、４００…リモートコントローラ（リモコン）
【図１】
2011035780.tif 000003
【図２】
2011035780.tif 000004
【図３】
2011035780.tif 000005
【図４】
2011035780.tif 000006
【図５】
2011035780.tif 000007
【図６】
2011035780.tif 000008
【図７】
2011035780.tif 000009
【図８】
2011035780.tif 000010
【図９】
2011035780.tif 000011
【図１０】
2011035780.tif 000012
【図１１】
2011035780.tif 000013
【図１２】
2011035780.tif 000014
【図１３】
2011035780.tif 000015
【図１４】
2011035780.tif 000016
【図１５】
2011035780.tif 000017